(57)【特許請求の範囲】
【請求項１】
複数種類のプリンタ装置の識別情報に対応付けてそれぞれのプリンタ装置が対応可能な複写処理に関する機能を予め記憶する機能記憶手段と、
所定のデータ転送インターフェースを介して接続されたプリンタ装置の識別情報を取得する識別情報取得手段と、
取得した前記識別情報が前記機能記憶手段に記憶されているものであるか否かを判断する判断手段と、
前記判断手段が、前記識別情報が前記機能記憶手段に記憶されていると判断した場合に、前記機能記憶手段から前記識別情報に対応付けて記憶されている前記複写処理に関する機能を検出する手段と、
複写処理に関する機能を選択するための機能メニュー画面において複写処理に関する機能を表示する表示手段と、
前記機能を検出する手段による検出結果に基づいて、前記表示手段による表示内容を制御する制御手段と、
前記判断手段が、前記識別情報取得手段により取得した前記プリンタ装置の識別情報が前記機能記憶手段に記憶されていないと判断した場合に、前記識別情報を前記機能記憶手段に自動登録する手段と、
前記識別情報が自動登録された後に、前記表示手段に前記機能メニュー画面を表示するために、前記プリンタ装置が対応可能な複写処理に関する機能を前記識別情報に対応付けて入力する操作を受付ける操作部と、を備えることを特徴とする画像読取装置。
【請求項２】
複数種類のプリンタ装置の識別情報に対応付けてそれぞれのプリンタ装置がカラープリンタ装置かモノクロプリンタ装置かを示す情報とカラープリンタ装置が対応可能であり、且つ、モノクロプリンタ装置が対応不可能な複写に関する機能を予め記憶する記憶手段と、
所定のデータ転送インターフェースを介して接続されたプリンタ装置の識別情報を取得する識別情報取得手段と、
取得した前記識別情報が前記記憶手段に記憶されているものであるか否かを判断する判断手段と、
前記判断手段が、前記識別情報が前記記憶手段に記憶されていると判断した場合に、前記識別情報に対応付けて記憶されている前記情報に基づいて、前記プリンタ装置がカラープリンタ装置かモノクロプリンタ装置かを検出する検出手段と、
前記判断手段が、前記識別情報取得手段により取得した前記プリンタ装置の識別情報が前記記憶手段に記憶されていないと判断した場合に、前記識別情報を前記記憶手段に自動登録する手段と、
前記識別情報が自動登録された後に、前記プリンタ装置がカラープリンタ装置かモノクロプリンタ装置かを示す情報を前記識別情報に対応付けて入力する操作を受付ける操作部と、
複写処理に関する機能を選択するための機能メニュー画面において複写処理に関する機能を表示する表示手段と、
前記検出手段による検出結果に基づいて、前記表示手段による表示内容を制御する制御手段と、を備える画像読取装置であって、
前記検出手段が、接続されているプリンタ装置がモノクロプリンタ装置であることを検出した場合、前記制御手段は、前記表示手段に前記記憶手段に記憶されている前記機能とその他の機能とを差別して表示させるように制御することを特徴とする画像読取装置。
【請求項３】
複数種類のプリンタ装置の識別情報に対応付けてそれぞれのプリンタ装置がカラープリンタ装置かモノクロプリンタ装置かを示す情報とカラープリンタ装置が対応可能であり、且つ、モノクロプリンタ装置が対応不可能な複写に関する機能を予め記憶する記憶手段と、
所定のデータ転送インターフェースを介して接続されたプリンタ装置の識別情報を取得する識別情報取得手段と、
取得した前記識別情報が前記記憶手段に記憶されているものであるか否かを判断する判断手段と、
前記判断手段が、前記識別情報が前記記憶手段に記憶されていると判断した場合に、前記識別情報に対応付けて記憶されている前記情報に基づいて、前記プリンタ装置がカラープリンタ装置かモノクロプリンタ装置かを検出する検出手段と、
前記判断手段が、前記識別情報取得手段により取得した前記プリンタ装置の識別情報が前記記憶手段に記憶されていないと判断した場合に、前記識別情報を前記記憶手段に自動登録する手段と、
前記識別情報が自動登録された後に、前記プリンタ装置がカラープリンタ装置かモノクロプリンタ装置かを示す情報を前記識別情報に対応付けて入力する操作を受付ける操作部と、
複写処理に関する機能を選択するための機能メニュー画面において複写処理に関する機能を表示する表示手段と、
前記検出手段による検出結果に基づいて、前記表示手段による表示内容を制御する制御手段と、を備える画像読取装置であって、
前記検出手段が、接続されているプリンタ装置がモノクロプリンタ装置であることを検出した場合、前記制御手段は、前記表示手段に当該画像読取装置が対応可能な機能を表示させる際に、前記記憶手段に記憶されている前記機能を表示させないように制御することを特徴とする画像読取装置。
【発明の詳細な説明】
【技術分野】
【０００１】
本発明は、読取った画像データのプリントデータをＵＳＢ（Ｕｎｉｖｅｒｓａｌ  Ｓｅｒｉａｌ  Ｂｕｓ）等を介して直接プリンタ装置へ送信する画像読取装置に関する。
【背景技術】
【０００２】
原稿の画像データを読取ってカラー又はモノクロ画像のプリントデータを生成し、生成したプリントデータをＵＳＢ等により直接接続されたプリンタ装置へ送信して印刷させることができる、カラー及びモノクロ画像の双方に対応した画像読取装置（スキャナ）がある。この画像読取装置にカラープリンタ装置が接続された場合は、画像読取装置側の出力設定により、カラー画像のプリントデータが生成出力され、モノクロプリンタ装置が接続された場合は、同じく出力設定により、モノクロ画像のプリントデータが生成出力される。
【０００３】
例えば、特許文献１には、接続されているプリンタ装置がカラープリンタ装置かモノクロプリンタ装置かがユーザにより予め設定され、プリントデータを出力する前に、設定されたプリンタ装置の色彩モード（カラー又はモノクロ）により、プリントしようとする画像を表示手段に表示させる画像処理装置が開示されている。
【特許文献１】特開平９−１９３５１４号公報
【発明の開示】
【発明が解決しようとする課題】
【０００４】
ところで、カラープリンタ装置にカラー画像のプリントデータを転送して複写処理を実行させる場合とモノクロプリンタ装置へモノクロ画像のプリントデータを転送して複写処理を実行させる場合とでは、複写処理に関して利用することができる機能が異なることが多い。しかし、上記特許文献１に係る装置を含めて従来の画像読取装置では、機能を設定するためのメニュー画面（以下「機能メニュー画面」ともいう。）には、カラー画像による複写処理を行う場合に実行可能なものが表示されていた。つまり、機能メニュー画面に表示される機能は、接続されているプリンタ装置の種類に応じて変更されることなく、常に同じ機能が表示されていたので、画像読取装置にモノクロプリンタ装置を接続してモノクロ画像による複写処理を行う場合に、ユーザが誤ってモノクロ画像の複写処理に際して実行できない機能を選択することがあり、印刷処理完了後にユーザは選択した機能が働かずに複写処理されたことに気付くという問題がある。このため、ユーザは無駄な時間を費やし、使用された用紙やトナーも無駄になる場合がある。
【０００５】
本発明は、かかる課題に鑑みてなされたものであり、接続されたプリンタ装置（例えばプリンタ装置がカラー対応かモノクロ対応か）に応じて実行可能な複写処理に関する機能をユーザに的確に知らせ、ユーザが誤って実行不可能な機能を選択しないようにする画像読取装置を提供することを目的とする。
【課題を解決するための手段】
【０００６】
上記目的を達成するために、請求項１記載の画像読取装置は、複数種類のプリンタ装置の識別情報に対応付けてそれぞれのプリンタ装置が対応可能な複写処理に関する機能を予め記憶する機能記憶手段と、所定のデータ転送インターフェースを介して接続されたプリンタ装置の識別情報を取得する識別情報取得手段と、取得した前記識別情報が前記機能記憶手段に記憶されているものであるか否かを判断する判断手段と、前記判断手段が、前記識別情報が前記機能記憶手段に記憶されていると判断した場合に、前記機能記憶手段から前記識別情報に対応付けて記憶されている前記複写処理に関する機能を検出する手段と、複写処理に関する機能を選択するための機能メニュー画面において複写処理に関する機能を表示する表示手段と、前記機能を検出する手段による検出結果に基づいて、前記表示手段による表示内容を制御する制御手段と、前記判断手段が、前記識別情報取得手段により取得した前記プリンタ装置の識別情報が前記機能記憶手段に記憶されていないと判断した場合に、前記識別情報を前記機能記憶手段に自動登録する手段と、前記識別情報が自動登録された後に、前記表示手段に前記機能メニュー画面を表示するために、前記プリンタ装置が対応可能な複写処理に関する機能を前記識別情報に対応付けて入力する操作を受付ける操作部と、を備えることを特徴としている。
【０００７】
例えば、前記機能検出手段は、複数種類のプリンタ装置の識別情報に対応付けて当該プリンタ装置が対応可能な複写処理に関する機能を記憶する機能記憶手段と、接続されたプリンタ装置の識別情報を取得する識別情報取得手段と、を備え、前記識別情報取得手段により取得された識別情報に対応付けて前記機能記憶手段に記憶されている機能を前記接続されたプリンタ装置が対応可能な機能として検出するものであることを特徴としている。
【０００８】
例えば、前記制御手段は、前記機能検出手段が検出した機能と前記機能検出手段が検出しなかった機能とを前記表示手段により差別して表示させる制御を行うことを特徴としている。
【０００９】
また、請求項２記載の画像読取装置は、複数種類のプリンタ装置の識別情報に対応付けてそれぞれのプリンタ装置がカラープリンタ装置かモノクロプリンタ装置かを示す情報とカラープリンタ装置が対応可能であり、且つ、モノクロプリンタ装置が対応不可能な複写に関する機能を予め記憶する記憶手段と、所定のデータ転送インターフェースを介して接続されたプリンタ装置の識別情報を取得する識別情報取得手段と、取得した前記識別情報が前記記憶手段に記憶されているものであるか否かを判断する判断手段と、前記判断手段が、前記識別情報が前記記憶手段に記憶されていると判断した場合に、前記識別情報に対応付けて記憶されている前記情報に基づいて、前記プリンタ装置がカラープリンタ装置かモノクロプリンタ装置かを検出する検出手段と、前記判断手段が、前記識別情報取得手段により取得した前記プリンタ装置の識別情報が前記記憶手段に記憶されていないと判断した場合に、前記識別情報を前記記憶手段に自動登録する手段と、前記識別情報が自動登録された後に、前記プリンタ装置がカラープリンタ装置かモノクロプリンタ装置かを示す情報を前記識別情報に対応付けて入力する操作を受付ける操作部と、複写処理に関する機能を選択するための機能メニュー画面において複写処理に関する機能を表示する表示手段と、前記検出手段による検出結果に基づいて、前記表示手段による表示内容を制御する制御手段と、を備える画像読取装置であって、前記検出手段が、接続されているプリンタ装置がモノクロプリンタ装置であることを検出した場合、前記制御手段は、前記表示手段に前記記憶手段に記憶されている前記機能とその他の機能とを差別して表示させるように制御することを特徴としている。
【００１０】
また、請求項３の画像読取装置は、複数種類のプリンタ装置の識別情報に対応付けてそれぞれのプリンタ装置がカラープリンタ装置かモノクロプリンタ装置かを示す情報とカラープリンタ装置が対応可能であり、且つ、モノクロプリンタ装置が対応不可能な複写に関する機能を予め記憶する記憶手段と、所定のデータ転送インターフェースを介して接続されたプリンタ装置の識別情報を取得する識別情報取得手段と、取得した前記識別情報が前記記憶手段に記憶されているものであるか否かを判断する判断手段と、前記判断手段が、前記識別情報が前記記憶手段に記憶されていると判断した場合に、前記識別情報に対応付けて記憶されている前記情報に基づいて、前記プリンタ装置がカラープリンタ装置かモノクロプリンタ装置かを検出する検出手段と、前記判断手段が、前記識別情報取得手段により取得した前記プリンタ装置の識別情報が前記記憶手段に記憶されていないと判断した場合に、前記識別情報を前記記憶手段に自動登録する手段と、前記識別情報が自動登録された後に、前記プリンタ装置がカラープリンタ装置かモノクロプリンタ装置かを示す情報を前記識別情報に対応付けて入力する操作を受付ける操作部と、複写処理に関する機能を選択するための機能メニュー画面において複写処理に関する機能を表示する表示手段と、前記検出手段による検出結果に基づいて、前記表示手段による表示内容を制御する制御手段と、を備える画像読取装置であって、前記検出手段が、接続されているプリンタ装置がモノクロプリンタ装置であることを検出した場合、前記制御手段は、前記表示手段に当該画像読取装置が対応可能な機能を表示させる際に、前記記憶手段に記憶されている前記機能を表示させないように制御することを特徴としている。
【発明の効果】
【００１１】
請求項１記載の画像読取装置によれば、自装置とプリンタ装置を接続すると同時に、プリンタ装置の対応可能な機能を確認することができる。したがって、プリンタ装置のカラー／モノクロ種別のみならず、カラープリンタ装置同士やモノクロプリンタ装置同士でもモデル形式等の違いによる機能の相違を容易且つ迅速に知ることができる。
【００１２】
請求項２記載の画像読取装置によれば、モノクロプリンタ装置が接続された場合に、モノクロプリンタ装置の対応可能な機能と対応不可能な機能とが差別表示されるので、従来のようにユーザが誤って実行不可能な機能を選択し、印刷処理が完了した後に選択した機能が働かなかったことに気付くという不都合が解消される。
【００１３】
請求項３記載の画像読取装置によれば、モノクロプリンタ装置が接続された場合に、モノクロプリンタ装置の対応可能な機能のみが表示されるので、従来のようにユーザが誤って実行不可能な機能を選択し、印刷処理が完了した後に選択した機能が働かなかったことに気付くという不都合が解消される。
【発明を実施するための最良の形態】
【００１４】
以下本発明の第１の実施の形態に係る画像読取装置について図面に基づき説明する。図１に画像読取装置１の構成例を示す。すなわち、画像読取装置１は、ＣＰＵ（中央処理装置）２、ＲＡＭ（ランダムアクセスメモリー）３、ＲＯＭ（リードオンリーメモリー）４、ページメモリ５、読取部６、入力色変換回路７、出力色変換回路８、画像メモリ９、コーデック（ＣＯＤＥＣ）１０、表示部１１、操作部１２、ＰＤＬ変換回路１３及びＵＳＢホストコントローラ１４を備えたものであって、各部２乃至１４はバス１５によって接続されている。
【００１５】
ＣＰＵ２は、ＲＯＭ４に格納された制御プログラムに従って、この画像読取装置１を構成する各部を制御する制御手段として機能する。ＲＡＭ３は、ＣＰＵ２の主メモリ、ワークエリア等として機能し、後述するテーブル１６等を記憶する記憶手段としても機能する。ＲＯＭ４は前記制御プログラムを格納している。ページメモリ５は、読取部６で読み取られた画像データを一時的に記憶する。
【００１６】
読取部６は、ＣＣＤカラーラインセンサ、Ａ／Ｄコンバータ、画像処理回路等を具備し、ＣＣＤカラーラインセンサにより原稿を読取って、Ａ／Ｄ変換及び、シェーディング補正、ずれ／ライン補正等の画像処理を施したＲＧＢ表色系のカラー画像データを生成し、これを入力色変換回路７へ出力する。
【００１７】
入力色変換回路７は、読取部６から出力されたＲＧＢ表色系のカラー画像データをＹＣｒＣｂ表色系のカラー画像データ又はＬ*ａ*ｂ*表色系のカラー画像データに変換し、さらに拡大、縮小地色補正等の画像処理を施す。また、入力色変換回路７には、多値メモリコントローラ（不図示）が実装されており、ＣＰＵ２の命令に従って多値メモリコントローラは、前記表色系に変換されたカラー画像データをページメモリ５の多値領域に張り付けたり、ページメモリ５の多値領域に張り付けたカラー画像データをコーデック１０、出力色変換回路８又は、コーデック１０を介さずに画像メモリ９へ出力する。
【００１８】
出力色変換回路８は、入力色変換回路７が出力したＬ*ａ*ｂ*表色系のカラー画像データに対して各成分１ビットのＣＭＹＫ表色系に変換して二値化処理を行う。また、出力色変換回路８には、二値メモリコントローラ（不図示）が実装されており、ＣＰＵ２の命令に従って二値メモリコントローラは、前記二値化された画像データをページメモリ５の二値領域に張り付けたり、ページメモリ５の二値領域に張り付けた画像データをコーデック１０又は、コーデック１０を介さずに画像メモリ９へ出力する。
【００１９】
画像メモリ９は、ページメモリ５内の画像データがコーデック７によって圧縮符号化された画像データ又は入力色変換回路７若しくは出力色変換回路８から圧縮符号化されずに直接出力された画像データを蓄積する。
【００２０】
コーデック１０はページメモリ５に一時的に記憶された画像データをＪＰＥＧ（Joint  Photographic  Experts  Group）方式又はＭＨ、ＭＲ，ＭＭＲ方式等により順次圧縮符号化する。
【００２１】
表示部１１は、例えば操作部１２に並設されたＬＣＤ（Ｌｉｑｕｉｄ  Ｃｒｙｓｔａｌ  Ｄｉｓｐｌａｙ）からなり、後述する複写処理に関する機能のほか、各種の画面情報を表示する表示手段として機能する。操作部１２は、ユーザが情報を入力する入力キーなどを具備し、ユーザによる各種の操作は、この操作部１２において行われる。
【００２２】
ＰＤＬ変換回路１３は、画像メモリ９に蓄積された画像データをＰＤＬに変換する。ＵＳＢホストコントローラ１４は、データ転送インターフェースの１つであるＵＳＢ（Ｕｎｉｖｅｒｓａｌ  Ｓｅｒｉａｌ  Ｂｕｓ）のホストコントローラ機能を実行するものであり、後述するＵＳＢデバイスコントローラを実装したプリンタ装置１７へＵＳＢを介してＰＤＬデータの送信を行う。また、ＵＳＢホストコントローラ１４にはＵＳＢポート１８が設けられており、これにＵＳＢケーブル１９の一端が接続される。そして実際にＵＳＢケーブル１９により画像読取装置１とプリンタ装置１７が接続されると、ＵＳＢホストコントローラ１４は、接続されたことを電気的に検出し、接続先デバイスである相手プリンタ装置１７との間でネゴシエーションを行って同プリンタ装置１７の識別情報を取得する。なお、ＵＳＢホストコントローラ１４としては、ＵＳＢ−ＩＦ（Ｉｍｐｌｅｍｅｎｔ  Ｆｏｒｕｍ）が公開している規格であるＯＴＧ（Ｏｎ−Ｔｈｅ−Ｇｏ）を搭載したコントローラ等もある。従ってプリンタ装置１７と画像読取装置１とは前記ＰＤＬ変換回路１３、ＵＳＢケーブル１９等により構成されるデータ転送インターフェースを介して着脱自在に接続される。
【００２３】
図２の一部に、ＲＡＭ３に格納されているテーブル１６の一例を示す。このテーブル１６は、複数種類のプリンタ装置１７の識別情報に対応付けてそれぞれのプリンタ装置１７が対応可能な、複写処理に関する機能を記憶する記憶手段として機能するものである。すなわち、このテーブル１６には、複数種類のプリンタ装置の製造メーカ、モデル名（型番）等の識別情報が登録（記憶）されており、さらに、それぞれの識別情報に対応付けて、カラープリンタ装置であるか否かを示す情報、各種機能毎に対応するか否かを示す情報が登録（記憶）されている。なお、このテーブル１６への上記情報の登録は、ユーザの操作部１２における所定操作によって行うことができるようになっている。
【００２４】
図示するテーブル１６について詳述すると、「識別情報」フィールドには、複数種類のプリンタ装置１７の識別情報として、「○○機械、プリンタＡ、ＰＤＬ１」、「△△テック、プリンタＢ、ＰＤＬ２」等が登録されている。「カラー／モノクロ」フィールドには、登録されたそれぞれの識別情報に対応付けて、カラープリンタ装置であることを示す情報「カラー」又はモノクロプリンタ装置であることを示す情報「モノクロ」が登録（記憶）されている。そして、「集約機能」フィールド、「ページ連写機能」フィールド、「リピート機能」フィールド、「とじしろ付加機能」フィールド及び「色彩調整機能」フィールドには、それぞれの機能に対応するか否かを示す情報として「対応」又は「非対応」が登録（記憶）されている。このようにテーブル１６では、各プリンタ装置の識別情報と各種機能の対応／非対応情報が同一レコードに配置されることにより相互に対応付けて登録（記憶）されている。なお、識別情報は、各プリンタ装置の種類が識別可能な情報であれば、上記した製造メーカ情報及びモデル名（型番）等に限定されずともよく、その他の情報であってもよい。また、複写処理に関する機能についても上記したものに限定されずその他の機能を適用してもよい。なお、前記機能の内容について説明すると、「集約機能」は、複数ページの原稿を１枚の用紙に複写（コピー）する機能を示し、「ページ連写機能」は、本などの閉じた原稿の見開きページを片面ずつ別々の用紙に複写（コピー）する機能を示し、「リピート機能」は、１枚の用紙に読取った画像データについて繰返しプリンタ装置へ転送して複写する機能を示し、「とじしろ付加機能」は、読取った原稿の画像を上下左右にオフセットして複写することにより印刷する用紙に余白部を形成する機能を示し、「色彩調整機能」は、カラー画像データの色彩（明度、色相、彩度）を調整して印刷する機能を示す。
【００２５】
次に上記構成を備える画像読取装置１とプリンタ装置１７がＵＳＢにより接続された際に画像読取装置１で実行される処理動作について、図３及び図４に示すフローチャートに基づいて説明する。なお、これより後にフローチャートに基づいて説明する画像読取装置１の処理動作は、ＲＯＭ４に格納された制御プログラムに基づき制御手段であるＣＰＵ２が発行する命令に従って行われる。また、画像読取装置１に接続されるプリンタ装置１７は、ＵＳＢデバイスコントローラ（不図示）などを備え、ＵＳＢにより直接画像読取装置１と接続されてＰＤＬデータを受信するものである。また、後述する表示部１１に表示される情報は、ＣＰＵ２により、ＲＡＭ３に予め記憶されたキャラクタデータ等が読み出されて出力表示されるものである。
【００２６】
先ず最初に、ユーザ等によってＵＳＢケーブル１９にて画像読取装置１とプリンタ装置１７が接続されると、画像読取装置１のＵＳＢホストコントローラ１４は、プリンタ装置１７とのＵＳＢケーブル１９による接続を電気的に検出する（Ｓ１）。画像読取装置１のＵＳＢホストコントローラ１４は、接続先であるプリンタ装置１７に所定信号を出力するなどして識別情報を要求し（Ｓ２）、プリンタ装置１７からの応答として返信されてきた識別情報を取得（受信）して（Ｓ３）、これをＲＡＭ３の所定領域に記憶する（Ｓ４）。なお、この識別情報は、ＵＳＢケーブル１９が外されるまで記憶され、その後新たにＵＳＢケーブル１９が接続されたときに新たに受信した識別情報に更新される。
【００２７】
次いで、画像読取装置１は、取得したプリンタ装置１７の識別情報がテーブル１６に登録（記憶）されているものであるか否かを判断する（Ｓ５）。取得したプリンタ装置１７の識別情報がテーブル１６に登録（記憶）されているものである場合は、テーブル１６の当該識別情報に対応付けて登録（記憶）されている機能（「機能」フィールドに「対応」が登録されているもの）を接続されたプリンタ装置１７が対応可能な機能として検出する（Ｓ６）。
【００２８】
そして、接続されているプリンタ装置１７に関する情報として、取得した識別情報及び検出した前記機能を表示する。好ましくは、図５（ａ）に示すように、画像読取装置１が対応可能な機能及びＰＤＬを全て表示するとともに、接続されたプリンタ装置１７が対応可能な機能（検出した機能）及びＰＤＬをその他の機能（プリンタ装置１７が非対応の機能）と差別して（例えば図示するように非対応の機能を網掛けして）表示する（Ｓ７）。そして、該表示はＵＳＢケーブル１９が外されて双方装置１、１７の接続が断たれるまで行われる（Ｓ８）。なお、機能の表示及び差別表示は図示するものに限定されず、例えば機能の表示を機能名称に替えて記号表示、略記表示等にしてもよく、差別表示を網掛け表示に替えて色彩や濃淡に差を設けることにより行ってもよい。
【００２９】
一方、前記Ｓ５において、取得した識別情報がテーブル１６に登録（記憶）されていないと判断した場合は、接続されているプリンタ装置１７の機能が未登録である旨（或いは接続されているプリンタ装置１７の識別情報が登録されていない旨）の情報を表示部１１に表示することによってその旨の報知を行う（Ｓ９）。なお、該報知は、上記した表示によるものに限定されず、スピーカ等の発音手段（不図示）やランプ等の発光手段（不図示）を設けて特定の発音、発光動作により行ってもよい。
【００３０】
そして、登録キー（不図示）が押下される等して入力モードへ移行し（Ｓ１０）、接続されたプリンタ装置の識別情報をテーブル１６の「識別情報」フィールドに自動登録するとともに、登録した該識別情報、例えば「製造メーカ：○○機械、モデル名：プリンタＡ、ＰＤＬ１」等、を表示部１１に表示する（Ｓ１１）。そして、ユーザによって操作部１２から機能の入力操作がなされると、前記Ｓ１１において自動登録された識別情報に対応付けて、入力された機能がテーブル１６上に登録される（Ｓ１２）。その後は、前記Ｓ６へ移行して前述した処理動作を実行する。
。
【００３１】
以上説明した実施の形態においては、前記Ｓ７における報知や表示部１１による表示がＵＳＢケーブル等による双方装置の接続が断たれるまで行われるようになっているが、表示部１１の表示面積が狭い場合など、常に、上記表示を行うことが他の情報を表示することの障害になる等の事情がある場合は、前記報知（表示）処理の終了タイミングを、その他の時点で行うようにしてもよい。例えば、報知開始から一定時間経過後、複写処理開始時、複写処理完了時、他の情報を表示する時などに、終了するようにしてもよい。
【００３２】
そのように、前記Ｓ７の表示を、報知開始から一定時間経過後、複写処理開始時、複写処理完了時、他の情報を表示する時などに終了させる場合は、機能メニュー画面を表示するときに、前記Ｓ６及びＳ７の表示処理を再び行うことが望ましい。すなわち、図６のフローチャートに示すように、機能メニュー画面を表示する処理動作が行われる場合には（Ｓ５１：ＹＥＳ）、取得した接続されているプリンタ装置１７の識別情報（取得してＲＡＭ３の所定領域に記憶している識別情報）に対応付けてテーブル１６に登録（記憶）されている機能（機能フィールドに「対応」が登録されているもの）を画像読取装置１が対応可能な機能として検出する（Ｓ５２）。そして、図５（ｂ）に示すように、画像読取装置１が対応可能な機能を全て表示するとともに、接続されたプリンタ装置１７が対応する機能（検出した機能）をその他の機能（プリンタ装置１７が非対応の機能）と差別して（例えば図示するように網掛け表示にて）表示する（Ｓ５３）。なお、機能の表示及び差別表示は前述したように図示するものに限定されない。
【００３３】
以上説明したように、第１の実施の形態に係る画像読取装置１によれば、ＵＳＢにより自装置１とプリンタ装置１７を接続すると同時に、プリンタ装置１７の対応可能な機能を確認することができる。また、対応可能な機能が対応不可能な機能と差別表示されるので、従来のように誤って対応不可能な機能を選択し、印刷処理が完了した後に選択した機能が働かなかったことに気付くという不都合が解消される。
【００３４】
また、例えば、複数のプリンタ装置１７を所有するユーザ（例えば企業等のユーザ）は、ＵＳＢケーブルを繋ぎ替えて表示部１１に表示されるプリンタ装置１７の機能を確認するだけで、自身が必要とする機能に対応するプリンタ装置を容易に探し出すことができる。
【００３５】
なお、本発明の第１の実施の形態においては、画像読取装置１とプリンタ装置１７を接続する接続手段としてＵＳＢを利用した場合を例に挙げて説明したが、画像読取装置１において接続手段により接続された時に相手先プリンタ装置１７の識別情報を取得することができれば、接続手段はＵＳＢに限定されない。その場合は例えば、ＵＳＢホストコントローラ１４に代えてパラレルインターフェース、ＬＡＮ（ローカル・エリア・ネットワーク）インターフェース等を装備して、パラレル、ＬＡＮ等を接続手段としてもよい。
【００３６】
また、自装置１が対応可能な機能のうち接続されているプリンタ装置１７が対応可能な機能が差別表示されることにより、ユーザは、自装置１が対応可能な機能と接続されたプリンタ装置１７が対応可能な機能の双方を同時に知ることができるが、プリンタ装置１７についての機能のみをユーザに知らせるために、プリンタ装置１７が非対応の機能の表示を省略するようにしてもよい。具体的には、前記Ｓ７の処理動作を行うときに、前記Ｓ６で検出した機能のみを表示する。これにより、ユーザは、接続されたプリンタ装置１７が対応する機能のみを一目にして把握することができるという利点が生じる。
【００３７】
以下、本発明の第２の実施の形態に係る画像読取装置について説明する。なお、第１の実施の形態に係る画像読取装置１と共通する部分については同一符号を付してその説明を省略し、相違点のみを以下に説明する。
【００３８】
図７に示すように、第２の実施の形態に係る画像読取装置１ＡのＲＡＭ３の所定領域には、前述のテーブル１６とは異なるテーブル１６Ａが形成されており、さらに、他の所定領域にはモノクロプリンタ装置が対応不可能な複写に関する機能の情報１６Ｂが記憶されている。テーブル１６Ａは、複数種類のプリンタ装置１７の識別情報に対応付けてそれぞれのプリンタ装置１７がカラープリンタ装置かモノクロプリンタ装置かを示す情報を記憶する記憶手段として機能する。前記機能の情報１６Ｂとしては、カラープリンタ装置が対応可能であり、且つ、モノクロプリンタ装置が対応不可能な複写に関する機能が記憶されている。
【００３９】
これらテーブル１６Ａに格納されている情報について、更に詳細に説明すると、テーブル１６Ａは、プリンタ装置の製造メーカ、モデル名（型番）等の識別情報を格納する「識別情報」フィールドと、カラープリンタ装置かモノクロプリンタ装置かを示す情報である「カラー」若しくは「モノクロ」を格納する「カラー／モノクロ」フィールドとからなる。なお、テーブル１６Ａへの上記情報の登録及び前記機能の情報１６の登録は、ユーザの操作部１２における所定操作によって行うことができるようになっている。また、前記機能の情報１６Ｂとして登録できる機能は上記した２種類に限定されない。
【００４０】
次に上記構成を備える画像読取装置１とプリンタ装置１７がＵＳＢにより接続された場合に実行される画像読取装置１の処理動作について、図８及び図９に示すフローチャートに基づいて説明する。なお、第１の実施の形態と同様の処理動作を行う場合は同符号を付してその説明を省略する。
【００４１】
まず、第１の実施の形態において説明したＳ１乃至Ｓ４の処理動作と同じ処理動作を実行する（図８参照）。
【００４２】
次に、ユーザの操作部１２における複写処理のための所定操作によって、複写処理に関する機能を選択するための画面（以下「機能メニュー画面」という。）を表示させるべき指示があると（Ｓ１０１：ＹＥＳ）、画像読取装置１Ａは、取得してＲＡＭ３の所定領域に記憶されている、接続されたプリンタ装置１７の識別情報がテーブル１６Ａに登録（記憶）されているものであるか否かを判断する（Ｓ１０２）。接続されたプリンタ装置１７の識別情報がテーブル１６Ａに登録（記憶）されているものである場合は、つぎに、同プリンタ装置１７がカラープリンタ装置かモノクロプリンタ装置かを検出する。具体的には、テーブル１６Ａの当該識別情報に対応付けて登録（記憶）されている情報が「カラー」であれば、接続されているプリンタ装置１７がカラープリンタ装置であるとして検出し、「モノクロ」であれば、接続されているプリンタ装置１７がモノクロプリンタ装置であるとして検出する（Ｓ１０３：ＹＥＳ）。そして、ＲＡＭ３に記憶（登録）されている前記情報１６Ｂをモノクロプリンタ装置が対応不可能な機能であるとして検出する（Ｓ１０４）。
【００４３】
そして、モノクロプリンタ装置が対応可能な機能と対応不可能な機能とを差別表示した機能メニュー画面を表示部１１に表示する。差別表示は、例えば図１０に示すように、画像読取装置１が対応可能な機能を全て表示するとともに、接続されているモノクロプリンタ装置が対応可能な機能とその他の機能（対応不可能な機能（検出した機能））とを差別して（例えば図示するように検出した機能を網掛けして）行う（Ｓ１０５）。なお、機能の表示及び差別表示は図示するものに限定されず、例えば機能の表示を機能名称に替えて記号表示、略記表示等にしてもよく、差別表示を網掛け表示に替えて色彩や濃淡に差を設けることにより行ってもよい。
【００４４】
一方、前記Ｓ１０３において、テーブル１６Ａの当該識別情報に対応付けて登録（記憶）されている情報がカラープリンタ装置を示すものであり、接続されているプリンタ装置１７がカラープリンタ装置であると判断した場合は、画像読取装置１が対応可能な機能を全て同じ形式とした機能メニュー画面を表示部１１に表示し、前記した差別表示はを行わない（Ｓ１０６）。
【００４５】
一方、前記Ｓ１０２において、取得した識別情報がテーブル１６に登録（記憶）されていないと判断した場合は、接続されているプリンタ装置１７の機能が未登録である旨（或いは接続されているプリンタ装置１７の識別情報が登録されていない旨）の情報を表示部１１に表示することによってその旨の報知を行う（Ｓ１０７）。なお、該報知は、上記した表示によるものに限定されず、スピーカ等の発音手段（不図示）やランプ等の発光手段（不図示）を設けて特定の発音、発光動作により行ってもよい。
【００４６】
そして、登録キー（不図示）が押下される等して入力モードへ移行し（Ｓ１０８）、接続されたプリンタ装置の識別情報をテーブル１６Ａの「識別情報」フィールドに自動登録するとともに、登録した該識別情報、例えば「製造メーカ：○○機械、モデル名：プリンタＡ、ＰＤＬ１」等、を表示部１１に表示する（Ｓ１０９）。そして、ユーザによって操作部１２からカラープリンタ装置又はモノクロプリンタ装置を示す情報（「カラー」又は「モノクロ」）の入力操作がなされると、前記Ｓ１０９において自動登録された識別情報に対応付けて、入力された情報がテーブル１６Ａに登録される（Ｓ１１０）。その後は、前記Ｓ１０３へ移行して前述した処理動作を実行する。
【００４７】
以上説明した内容から明らかなように、第２の実施の形態に係る画像読取装置１Ａによれば、モノクロプリンタ装置に接続し、機能メニュー画面を表示させると、モノクロプリンタ装置が対応できる機能と対応できない機能とが差別表示されるので、従来のように誤って対応不可能な機能を選択し、印刷処理が完了した後に選択した機能が働かなかったことに気付くという不都合が解消される。例えば、多数のプリンタ装置を所有する会社等において、画像読取装置１にモノクロプリンタ装置に接続されているにもかかわらず、ユーザがカラープリンタ装置に接続されているもの勘違いして、カラープリンタ装置でしか利用することができない色彩調整機能等の操作を行うといった無駄な操作が未然に防止される。
【００４８】
なお、第２の実施の形態も、第１の実施の形態と同様に、画像読取装置１Ａとプリンタ装置１７を接続する接続手段としてＵＳＢを利用した場合を例に挙げて説明したが、画像読取装置１Ａにおいて接続手段により接続された時に相手先プリンタ装置１７の識別情報を取得することができれば、接続手段はＵＳＢに限定されない。
【００４９】
また、第２の実施の形態においては、モノクロプリンタ装置が対応可能な機能と同装置が対応不可能な機能とが差別表示されるが、接続されたモノクロプリンタ装置が対応可能な機能のみをユーザに知らせるために、モノクロプリンタ装置が非対応の機能の表示を省略するようにしてもよい。具体的には、前記Ｓ１０５の処理動作を行うときに、前記Ｓ１０４で検出した機能のみの表示を省略する。これにより、ユーザは、接続されたプリンタ装置１７が対応する機能のみを一目にして把握することができるという利点が生じる。
【産業上の利用可能性】
【００５０】
本発明は、例えば、プリンタ装置にＵＳＢ等により接続されて印刷データを転送するスキャナ等の画像読取装置に適用することができる。
【図面の簡単な説明】
【００５１】
【図１】本発明の実施の形態に係る画像読取装置の構成例を示した図である。
【図２】本発明の第１の実施の形態に係る画像読取装置とプリンタ装置をＵＳＢによって接続した概略図及びテーブルの一例を示した図である。
【図３】本発明の第１の実施の形態に係る画像読取装置とプリンタ装置をＵＳＢケーブルにより接続した際に実行される双方装置の処理動作を示したフローチャートである。
【図４】本発明の第１の実施の形態に係る画像読取装置とプリンタ装置をＵＳＢケーブルにより接続した際に実行される画像読取装置の処理動作を示したフローチャートである。
【図５】本発明の第１の実施の形態において、接続されたプリンタ装置が対応する機能及びＰＤＬと、対応しない機能及びＰＤＬを差別して表示部に表示した状態の一例を示した図である。
【図６】本発明の第１の実施の形態の変形例に係る画像読取装置が機能を表示部に表示する際に実行される処理動作を示したフローチャートである。
【図７】本発明の第２の実施の形態に係る画像読取装置とプリンタ装置をＵＳＢによって接続した概略図及びテーブルの一例を示した図である。
【図８】本発明の第２の実施の形態に係る画像読取装置とプリンタ装置をＵＳＢケーブルにより接続した際に実行される双方装置の処理動作を示したフローチャートである。
【図９】本発明の第２の実施の形態に係る画像読取装置において機能メニュー画面を表示させる場合に実行される画像読取装置の処理動作を示したフローチャートである。
【図１０】本発明の第２の実施の形態に係る機能メニュー画面の一例を示した図である。
【符号の説明】
【００５２】
１、１Ａ    画像読取装置
２    ＣＰＵ
３    ＲＡＭ
４    ＲＯＭ
１１    表示部
１２    操作部
１６、１６Ａ    テーブル
１６Ｂ    モノクロプリンタ装置が対応不可能な複写に関する機能の情報
１７    プリンタ装置
１９    ＵＳＢケーブル
【図１】
0004659353.tif 000002
【図２】
0004659353.tif 000003
【図３】
0004659353.tif 000004
【図４】
0004659353.tif 000005
【図５】
0004659353.tif 000006
【図６】
0004659353.tif 000007
【図７】
0004659353.tif 000008
【図８】
0004659353.tif 000009
【図９】
0004659353.tif 000010
【図１０】
0004659353.tif 000011